(57)【要約】      （修正有）【課題】突合せ型及び挟み込み型のいずれの灯器具に対しても支障なく使用できる直管型ＬＥＤランプ用スイッチ装置を提供する。【解決手段】外周部がソケットと摺動可能な摺動面２ｄである操作体２が、初期状態にてハウジング１の上面から９０度未満の傾斜角度でハウジング１に回動自在に支持され、操作体２がソケットと摺動し押圧操作され操作体２が押下される事により、第１端子３と第２端子４とが導通する構成とした。これにより、挟み込み型ソケットにハウジング１を挿入する時に、操作体２の摺動面２ｄがソケットと摺動することにより、操作部２ａがソケットにより押下されるので、突合せ型および挟み込み型のいずれの灯器具に対しても支障なく使用できるスイッチ装置１００を提供できる。【選択図】図３
0003184247.tif 000002
【実用新案登録請求の範囲】
【請求項１】
ハウジングと、
前記ハウジングの一面から一方向に突出すると共に灯器具のソケットに取り付けられる一対の第１端子と、
押圧操作を受け付け可能な操作部を有する操作体と、
前記第１端子との導通状態が切り替えられる第２端子と、
前記操作体を押圧操作前の初期状態に復帰させる弾性部材と、を備えた直管型ＬＥＤランプ用スイッチ装置において、
前記操作部は、板状に形成され、前記初期状態において、前記ハウジングの一面に対して９０度未満の角度で傾斜しており、
前記操作部の外周部は、前記ソケットと摺動可能な摺動面となっており、
前記摺動面が前記ソケットと摺動し前記操作体が押圧操作されることにより、前記第１端子の少なくとも一方と前記第２端子とが導通すること、を特徴とする直管型ＬＥＤランプ用スイッチ装置。
【請求項２】
前記操作部の前記外周部は円弧状に形成されていることを特徴とする、請求項１に記載の直管型ＬＥＤランプ用スイッチ装置。
【請求項３】
前記ハウジングの前記一面には、段差部が設けられており、
前記段差部に前記操作部が配設され、
前記操作部が押圧された際、前記操作部の上面と前記ハウジングの前記一面とが、面一状となることを特徴とする、請求項１または請求項２に記載の直管型ＬＥＤランプ用スイッチ装置。
【請求項４】
前記第２端子は前記一対の第１端子間を通る方向に延びて設けられており、前記第２端子は前記操作体により駆動され、前記一対の第１端子の少なくとも一方との導通状態が切り替えられることを特徴とする、請求項１から請求項３のいずれかに記載の直管型ＬＥＤランプ用スイッチ装置。
【請求項５】
複数のＬＥＤと、前記複数のＬＥＤを発光させる駆動回路と、前記複数のＬＥＤ及び前記駆動回路を収納する筒状のランプ本体とを具備し、請求項１から請求項４のいずれかに記載の直管型ＬＥＤランプ用スイッチ装置を前記ランプ本体の端部に設けたことを特徴とする直管型ＬＥＤランプ。
【考案の詳細な説明】
【技術分野】
【０００１】
本考案は、灯器具に取り付け可能な直管型ＬＥＤランプ用スイッチ装置及びそれを用いた直管型ＬＥＤランプに関する。
【背景技術】
【０００２】
近年、光源に発光ダイオード（Ｌｉｇｈｔ  Ｅｍｉｔｔｉｎｇ  Ｄｉｏｄｅ：以降ＬＥＤと記載する）を用いるＬＥＤランプが普及している。ＬＥＤランプにおいては、従来型の照明器具と比較して、消費電力や二酸化炭素の排出量を大幅に低減できると共に、製品寿命も大幅に延ばすことができる。この様なＬＥＤランプにおいて、現在、従来型の蛍光灯を代替する照明器具として直管型ＬＥＤランプが注目されている。
【０００３】
この様な直管型ＬＥＤランプにおいては、蛍光灯器具に直管型ＬＥＤランプを取り付けるとき、または蛍光灯器具から直管型ＬＥＤランプを取り外すときに、誤って口金ピンに接触すると感電する虞がある。
この、蛍光灯器具への取り付け，取り外し作業時の感電を回避し、安全性を確保するための感電防止機能を有する直管型ＬＥＤランプが特許文献１に提案されている。
【０００４】
特許文献１に記載されている直管型ＬＥＤランプ９０１は、図９に示す様に、突出する一対の口金ピン９４１、口金ピン９５１がそれぞれ設けられた口金９０４、口金９０５が両端に配置され、一対の口金ピン９４１、口金ピン９５１間の中央部に、弾性付勢されたスイッチピン９１１、スイッチピン９２１がそれぞれ配置されている。このスイッチピン９１１、スイッチピン９２１を口金９０４、口金９０５から外側に向けて突出させておき、直管型ＬＥＤランプ９０１が蛍光灯器具に取り付けられると、スイッチピン９１１、スイッチピン９２１が押し込まれる。この動作により、口金ピン９４１、口金ピン９５１が図示しない口金９０４、口金９０５の内部にある端子と接続され、口金ピン９４１、口金ピン９５１から直管型ＬＥＤランプへ給電される構造となっている。
【０００５】
特許文献１の直管型ＬＥＤランプ９０１は、この様な構造としたので、蛍光灯器具に直管型ＬＥＤランプを取り付け、或いは、取り外す時に、スイッチピン９１１、スイッチピン９２１を蛍光灯器具で押し込まないと、直管型ＬＥＤランプには給電されないので、誤って口金ピンに接触しても感電する事が防止でき、当該作業時における安全性を確保する事ができる。
【先行技術文献】
【特許文献】
【０００６】
【特許文献１】特開２０１０−１９２２２９号公報
【考案の概要】
【考案が解決しようとする課題】
【０００７】
ところで、蛍光灯器具には直管型ＬＥＤランプを取り付けるためのソケットが設けられている。ソケットには様々な種類があるが、代表的なソケットとして突合せ型と挟み込み型がある。
【０００８】
突合せ型ソケットでは、両端のソケットがそれぞれ内方に付勢されており、直管型ＬＥＤランプを突合せ型ソケットに取り付ける場合は、ソケットの付勢力に抗しながら、一方の口金で一方のソケットを押し込む。そして、一方の口金で一方のソケットを押し込みながら、一方側の口金ピンを一方のソケットに差し込み、他方側の口金ピンを他方のソケットに差し込む。このように、一方側の口金ピンと他方側の口金ピンをソケットに差し込む事により、取り付け作業が終了する。
【０００９】
挟み込み型ソケットでは、直管型ＬＥＤランプの両端の口金に設けられた一対の口金ピンを、直管型ＬＥＤランプの挿入方向（口金ピンの突出方向と交差する方向）に設けられた、ソケットの中央部に位置するスリットに差し込む。
この状態で約９０度回転させると、両端に設けられた口金ピンがソケット内の電極に接触した状態で固定される。
【００１０】
代表的なソケットのうち、突合せ型ソケットに特許文献１の直管型ＬＥＤランプ９０１を取り付ける場合には、最初に一方側の口金ピン９４１を一方のソケットに取り付ける。
一方側の口金ピン９４１を一方のソケットに取り付けると、一方側の２つの口金ピン９４１の間に設けられ、付勢されたスイッチピン９１１は、ソケットにより付勢力に抗して押下され、口金ピン９４１からの給電が可能となる。次に、他方側の口金ピン９５１を他方のソケットに取り付ける。他方側の口金ピン９５１を他方のソケットに取り付けると、他方側の２つの口金ピン９５１の間に設けられ、付勢されたスイッチピン９２１は、ソケットにより付勢力に抗して押下され、口金ピン９５１からの給電が可能となる。よって、直管型ＬＥＤランプ９０１は、双方のソケットに取り付けられた状態で双方のスイッチピン９１１、９２１が押下されているので、直管型ＬＥＤランプ９０１は給電可能となる。
上記の様に、特許文献１の直管型ＬＥＤランプ９０１は、突合せ型ソケットには容易に取り付けるが事ができる。
【００１１】
一方で、特許文献１の直管型ＬＥＤランプ９０１を挟み込み型ソケットに取り付ける場合、ソケットに設けられたスリットの幅がスイッチピン９１１またはスイッチピン９２１の直径より狭いときには、スイッチピン９１１がソケットに接触してしまう。このため、挟み込み型ソケットのスリットの幅がスイッチピン９１１またはスイッチピン９２１の直径より狭いときには、直管型ＬＥＤランプ９０１を挟み込み型ソケットに取り付ける事は困難である。
また、挟み込み型ソケットに設けられたスリットの幅がスイッチピン９１１またはスイッチピン９２１の直径よりも広いときには、スイッチピン９１１またはスイッチピン９２１がスリットに入り込む。従って、スリットの幅が広い挟み込み型ソケットでは、直管型ＬＥＤランプ９０１を容易に取り付ける事ができる。しかし、スイッチピン９１１またはスイッチピン９２１はスリットに入り込んでいるため、スイッチピン９１１及びスイッチピン９２１は押下されないので、直管型ＬＥＤランプ９０１に給電されないという不都合が生じる。
【００１２】
本考案はこの様な実情に鑑みてなされたものであり、突合せ型及び挟み込み型のいずれの灯器具に対しても支障なく使用できる直管型ＬＥＤランプ用スイッチ装置及びそれを用いた直管型ＬＥＤランプを提供する事を目的とする。
【課題を解決するための手段】
【００１３】
請求項１に記載の直管型ＬＥＤランプ用スイッチ装置は、ハウジングと、前記ハウジングの一面から一方向に突出すると共に灯器具のソケットに取り付けられる一対の第１端子と、押圧操作を受け付け可能な操作部を有する操作体と、前記第１端子との導通状態が切り替えられる第２端子と、前記操作体を押圧操作前の初期状態に復帰させる弾性部材と、を備えた直管型ＬＥＤランプ用スイッチ装置において、
前記操作部は、板状に形成され、前記初期状態において、前記ハウジングの一面に対して９０度未満の角度で傾斜しており、前記操作部の外周部は、前記ソケットと摺動可能な摺動面となっており、前記摺動面が前記ソケットと摺動し前記操作体が押圧操作されることにより、前記第１端子の少なくとも一方と前記第２端子とが導通する事を特徴とする。
【００１４】
請求項２に記載の直管型ＬＥＤランプ用スイッチ装置は、前記操作部の前記外周部は円弧状に形成されている事を特徴とする。
【００１５】
請求項３に記載の直管型ＬＥＤランプ用スイッチ装置は、前記ハウジングの前記一面には、段差部が設けられており、前記段差部に前記操作部が配設され、前記操作部が押圧された際、前記操作部の上面と前記ハウジングの前記一面とが、面一状となる事を特徴とする。
【００１６】
請求項４に記載の直管型ＬＥＤランプ用スイッチ装置では、前記第２端子は前記一対の第１端子間を通る方向に延びて設けられており、前記第２端子は前記操作体により駆動され、前記一対の第１端子の少なくとも一方との導通状態が切り替えられる事を特徴とする。
【００１７】
請求項５に記載の直管型ＬＥＤランプは、複数のＬＥＤと、前記複数のＬＥＤを発光させる駆動回路と、前記複数のＬＥＤ及び前記駆動回路を収納する筒状のランプ本体とを具備し、請求項１から請求項４のいずれかに記載の直管型ＬＥＤランプ用スイッチ装置を前記ランプ本体の端部に設けた事特徴とする。
【考案の効果】
【００１８】
請求項１の考案によれば、初期状態では、操作部はハウジングの一面に対して９０度未満の角度で傾斜した板状の操作部を有しており、また、外周部をソケットと摺動可能な摺動面としたので、挟み込み型ソケットにハウジングを挿入する時に、外周部の摺動面がソケットと摺動することにより、傾斜した操作部がソケットにより押下されるので、支障なく組み込むことができる。また、突合せ型ソケットにハウジングを挿入する時は、ソケットにハウジングを突合せるだけで操作部が押下される。
操作部が押下されることにより、第１端子の少なくとも一方と第２端子が導通し、灯器具から給電可能な状態となるので、突合せ型および挟み込み型のいずれの灯器具に対しても支障なく使用できる直管型ＬＥＤランプ用スイッチ装置を提供できる。
【００１９】
請求項２の考案によれば、ハウジングを挟み込み型ソケットに装着する場合において、第１端子が挟み込み型ソケットに設けられているスリットに沿って挿入されるとソケットが操作部の外周部に当接し、ハウジングの挿入に伴いソケットの当接位置は外周部上を容易に移動するが、このとき、外周部を円弧状としたので、ソケットの当接位置の外周部上の移動に伴い、操作部がソケットにより押下される。
これにより、挟み込み型ソケットに対して取り付ける事がより容易となり、直管型ＬＥＤランプへの確実な給電が可能となる。
【００２０】
請求項３の考案によれば、板状の操作部が押圧されて押下すると、段差部に配設された操作部の上面とハウジングの一面が同一面となるので、灯器具に取り付けた状態でハウジングの一面から突出する部位がなく、外観が良好な直管型ＬＥＤランプ用スイッチ装置を提供できる。
【００２１】
請求項４の考案によれば、第２端子は一対の第１端子間を通る方向に延びて設けられているので、ハウジング内の空いているスペースを有効に活用する事できるとともに、第２端子が操作体により駆動される事により一対の第１端子の少なくとも一方との導通状態が切り替えられる構成としたので、構造が簡略化できる、という効果を奏する。
【００２２】
請求項５の考案によれば、突合せ型及び挟み込み型のいずれの蛍光灯器具に対しても支障なく使用できる直管型ＬＥＤランプ用スイッチ装置を用いたので、突合せ型及び挟み込み型のいずれの蛍光灯器具に対しても支障なく使用できる直管型ＬＥＤランプが提供できる。
【００２３】
以上により、本考案によれば、突合せ型及び挟み込み型のいずれの灯器具に対しても支障なく使用できる直管型ＬＥＤランプ用スイッチ装置、及びそれを用いた直管型ＬＥＤランプを提供する事ができる。
【図面の簡単な説明】
【００２４】
【図１】本考案の実施の形態に係る直管型ＬＥＤランプ用スイッチ装置の外観を説明する外観図である。
【図２】本実施形態の直管型ＬＥＤランプ用スイッチ装置の外観を説明する斜視図である。
【図３】本実施形態に係る直管型ＬＥＤランプ用スイッチ装置の構成部品を示す分解斜視図である。
【図４】操作体の状態による第１端子と第２端子の導通状態の変化を説明する、図１のＡ−Ａ位置の断面図である。
【図５】蛍光灯器具のソケットを示す外観斜視図である。
【図６】挟み込み型ソケットへの本実施形態に係る直管型ＬＥＤランプ用スイッチ装置の取り付け方法を示す模式図である。
【図７】直管型ＬＥＤランプ用スイッチ装置をソケットに差し込む時の操作体の挙動を示す模式図である。
【図８】本考案の実施の形態に係る直管型ＬＥＤランプの構造を説明する外観斜視図である。
【図９】従来例の直管型ＬＥＤランプ用スイッチ装置を説明する図である。
【考案を実施するための形態】
【００２５】
以下、本考案の実施形態について添付図面を参照して詳細に説明する。本考案の実施形態に係る直管型ＬＥＤランプ用スイッチ装置（以下、単に「スイッチ装置」という）は、直管型ＬＥＤランプの端部に設けられ、直管型ＬＥＤランプ内に実装される、例えばＡＣ／ＤＣコンバータなどの、駆動回路に対する通電状態を切り替えるものである。
【００２６】
まず始めに、図１及び図２を参照して、本実施形態におけるスイッチ装置１００の外観構造を説明する。図１は本考案の実施形態に係るスイッチ装置１００の外観を説明する図で、（ａ）は平面図、（ｂ）は立面図である。図２は本実施形態のスイッチ装置１００の外観を説明する斜視図である。
【００２７】
本実施形態のスイッチ装置１００は、図１及び図２に示す様に、ハウジング１の上面（一面）から、一対の第１端子３が上方（一方向）に突出しており、ハウジング１の上面を一対の第１端子３の中心軸を通る平面で分割した一方側の領域に、操作体２がハウジング１の上面に対し９０度未満の所定の角度で傾斜して突出している。操作体２は弾性部材８により、操作体２の外周中央部がハウジングの一面から突出する方向に付勢されており、押圧操作により操作体２を付勢に抗して押下すると、第１端子３と後述する第２端子４が導通して図示しない直管型ＬＥＤランプ内の駆動回路に通電される。操作体２が、図１及び図２に示す様に、ハウジング１の上面から傾斜して突出した状態（初期状態）にある時は第１端子３と第２端子４は導通せず、誤って第１端子３に接触した場合の感電事故を回避できる。
【００２８】
次に、図３から図５を参照に、スイッチ装置１００の各構成部品について説明する。図３は、本実施形態に係るスイッチ装置１００の構成部品を示す分解斜視図である。
【００２９】
ハウジング１は、成形材等の絶縁材料で下方側に開口した略円筒形状に形成され、略円形の上面（一面）には、第１端子３が固設される一対の端子保持孔１ａが、略円形の上面を２等分する線分上に間隔をあけて設けられている。また、ハウジング１の上面を、一対の端子保持孔１ａの中心軸を通る平面で分割した一方側の領域は、ハウジング１の上面より高さが一段低い段差部１ｄとなっており、段差部１ｄはさらに一対の端子保持孔１ａと外周部の間の領域が、一対の端子保持孔１ａの中心軸を通る平面に直交する方向に延びている。
【００３０】
ハウジング１の上面と段差部１ｄの底面とつなぐ縦壁のうち、一対の端子保持孔１ａ近傍の壁部には、一対の端子保持孔１ａの配置方向と軸方向が同一の回動軸穴１ｃがそれぞれ設けられ、一対の端子保持孔１ａの間の壁部には操作体２の駆動部２ｃが挿通される開口部１ｂが設けられている。開口部１ｂ近傍の段差部１ｄには後述する弾性部材８を収容可能な窪み部が設けられ、窪み部の底面の一部には弾性部材８の腕部を受けるバネ受け部１ｇが設けられる。
段差部１ｄ側のハウジング１の外周面には、段差部１ｄの面からの下方に向け、一対の凹部１ｅが設けられており、凹部１ｅの底面には、スイッチ装置１００を図示しない直管型ＬＥＤランプに固定する、ネジ等の固定部材が挿通される貫通孔１ｆが設けられている。
【００３１】
ホルダ６は、成形材等の絶縁材で略円板状に形成され、外周付近に後述する一対の第２端子４が、外周側から中心部を通過し反対側の外周側に向かう姿勢で、間隔を有して平行に固定されている。また、ハウジング１の２つの貫通孔１ｆに対応する位置に、ネジ等の固定部材が挿通される一対の貫通孔が設けられている。
【００３２】
操作体２は、成形材等で略半円形状に形成された板状の操作部２ａを有し、操作部２ａの半円形状の直線部の両端から腕部がそれぞれ突出しており、２つの腕部の内方を向く側面には、半円形状の直線部と同一の方向で半円形状の中心に向かい突出する略円柱状の回動軸２ｂがそれぞれ設けられている。また、半円形状の直線部の略中央には、操作部２ａから遠ざかる方向に突出する、略矩形で中央にスリットを有する駆動部２ｃが設けられる。
略半円形状の操作部２ａの円弧状の外周部分は操作部２ａの上面側が下面側より小さくなる方向に傾斜した摺動面２ｄとなっている。また、操作部２ａの下面側には、後述する弾性部材８を保持する略円柱状のバネ軸２ｅが、中心軸が２つの回動軸２ｂを結ぶ方向で外径が本体部の下面と離間する様に、設けられている。
【００３３】
第１端子３は導電性を有する金属材で形成され、略円柱状の口金部３ａの下方に、口金部３ａより径が大きい台座部３ｂを有し、台座部３ｂの下端面にはネジ穴が設けられる。
【００３４】
第２端子４は、弾性を有し導電性が良い金属板等で略Ｕ字状に形成され、Ｕ字形状の一方の腕部は他方より長く、かつ一方の腕部の先端には外方に傾斜して突出する接点部４ａが設けられる。長さが短い他方の腕部の内方を向く面はホルダ６の下面に固定される。これにより、長さが長く先端に接点部４ａを有する第２端子４の一方の腕部は、ホルダ６の外周付近からホルダ６の中心を通過して反対側の外周付近まで、ホルダ６の上面から離間して保持される。
【００３５】
端子リード５は導電性を有する金属板で側面視にて略Ｚ形状に形成され、中央に貫通孔を有する接続部５ｂを有し、この接続部５ｂから上方に延伸し、さらに水平方向に延伸しており、その先端部に側方に突出する略矩形状の接点部５ａを有する。
一対の端子リード５は対称形状となっており、一対の端子リード５をハウジング１に取り付けるときは、一対の端子リード５は離間し、それぞれの接点部５ａは互いに近づく方向に突出する様に配置される。
【００３６】
弾性部材８は、バネ用ステンレス鋼線等のバネ材で形成された両端に腕部を有する捻りバネで、操作体２のバネ軸２ｅに取り付けられ、操作体２がハウジング１の段差部１ｄに配設されると、弾性部材８の一方の腕部が操作体２の操作部２ａの下面と当接し、他方の腕部がハウジング１のバネ受け部１ｇと当接する。
【００３７】
次に、本実施形態のスイッチ装置１００の組み立て構造を説明する。
【００３８】
一対の第１端子３はハウジング１の端子保持孔１ａに保持され、端子保持ネジ１２により第１端子３の下面側に端子リード５が取り付けられ、第１端子３と端子リード５は電気的に接続される。これにより、一対の端子リード５は第１端子３を介してハウジング１に保持されると共に、互いに離間し、それぞれの接点部５ａが互いに近づく方向に突出する様に配置される。
【００３９】
操作体２はハウジング１の段差部１ｄに配設され、操作体２の回動軸２ｂをハウジング１の回動軸穴１ｃに挿入すると、操作体２はハウジング１に回動軸２ｂを回動中心として回動可能に支持され、操作体２の駆動部２ｃはハウジング１の開口部１ｂに挿通される。このとき、操作体２のバネ軸２ｅに取り付けられた弾性部材８の、一方の腕部が操作体２の操作部２ａの下面と当接し、他方の腕部がハウジング１のバネ受け部１ｇと当接する事により、弾性部材８が操作体２を、操作体２の摺動面２ｄがハウジング１から離間する方向に付勢するので、操作体２は回動し、操作部２ａがハウジング１の上面に対して傾斜した初期状態の位置で停止し、駆動部２ｃも傾斜している。
【００４０】
操作体２が上記の初期状態の位置にあるときに、ハウジング１の下方側の開口部にホルダ６を取り付けると、ホルダ６に固定された一対の第２端子４の接点部４ａと、一対の端子リード５の接点部５ａとが対向し、当接可能な位置となるが、ハウジング１の上面に対し傾斜して停止している操作体２の駆動部２ｃの先端部が第２端子４と当接する。これにより駆動部２ｃが第２端子４を弾性変形させ、第２端子４の接点部４ａと端子リード５の接点部５ａとは離間し、端子リード５と第２端子４は電気的には導通しない。
【００４１】
次に、図４を参照して、本実施形態に係るスイッチ装置１００の操作体２の押下操作による第１端子３と第２端子４の導通状態の変化を説明する。図４は操作体２の状態による第１端子３と第２端子４の導通状態の変化を説明する図１のＡ−Ａ位置の断面図で、（ａ）は操作体２が初期状態にあるとき、（ｂ）は操作体２が押圧操作により押下されたときである。
【００４２】
図４（ａ）に示す様に、第１端子３と端子リード５は端子保持ネジ１２により締結され、第１端子３と端子リード５は電気的に接続されている。ホルダ６に固定された第２端子４の長さが短い一方の腕部は、ホルダ６の下方で図示しない直管型ＬＥＤランプ内の駆動回路に接続されている。
【００４３】
操作体２及び操作体２の操作部２ａがハウジング１の上面に対して傾斜している初期状態では、図４（ａ）に示す様に、操作体２の駆動部２ｃの先端部が第２端子４の接点部４ａに連なる傾斜部と当接し、第２端子４の接点部４ａが端子リード５の接点部５ａから離間する方向に第２端子４を弾性変形させる。これにより、端子リード５の接点部５ａと第２端子４の接点部４ａは隙間を隔てて対向し、端子リード５と第２端子４は導通しておらず、第１端子３と第２端子４も導通していない。
【００４４】
押圧操作により操作体２が押下され回動すると、図４（ｂ）に示す様に、操作体２及び操作体２の操作部２ａは略水平となり、操作体２の駆動部２ｃの先端は上方に移動して第２端子４から離間する。これにより第２端子４は弾性変形前の状態に戻り、第２端子４の接点部４ａは上方に移動し、第２端子４の接点部４ａと端子リード５の接点部５ａは当接する。第１端子３と端子リード５は電気的に導通しているので、接点部４ａと接点部５ａが当接し、第２端子４と端子リード５が電気的に導通すると、第１端子３と第２端子４も導通する。
【００４５】
以上により、操作体２が初期状態にあると、第１端子３と第２端子４は導通せず、押圧操作により操作体２が押下されると、第１端子３と第２端子４は導通する。第２端子４と図示しない直管型ＬＥＤランプ内の駆動回路は接続されているので、操作体２が押下されると、第１端子３から駆動回路への給電が可能となる。
【００４６】
次に、図５から図７を参照して、本実施形態に係るスイッチ装置１００が取り付けられた直管型ＬＥＤランプを蛍光灯器具に取り付けたときのスイッチ装置１００の動作を説明する。図５は蛍光灯器具のソケットを示す外観斜視図で、（ａ）は突合せ型ソケット５１０、（ｂ）は挟み込み型ソケット５００である。図６は挟み込み型ソケット５００への本実施形態に係るスイッチ装置１００の取り付け方法を示す模式図で、（ａ）はスイッチ装置１００のソケットに対する取り付け姿勢を示す模式図、（ｂ）はスイッチ装置１００の取り付け作業を示す模式図である。図７はスイッチ装置１００を挟み込み型ソケット５００に差し込む時の操作体２の挙動を示す模式図で、（ａ）は操作体２が挟み込み型ソケット５００に接触した時の状態、（ｂ）は操作体２が挟み込み型ソケット５００に摺動しながら移動させられている状態、（ｃ）はスイッチ装置１００が最終位置まで差し込まれ回転させられる前の状態である。
【００４７】
直管型の蛍光灯器具の代表的なソケットは、図５（ａ）に示す、突合せ型ソケット５１０と、図５（ｂ）に示す、挟み込み型ソケット５００の２種類があり、これらのソケットが蛍光灯器具の両端にソケット面が対向する様にそれぞれ設けられている。
【００４８】
突合せ型ソケット５１０では突出方向に付勢され押下可能なソケット部５１４のソケット面５１３に口金ピンが差し込まれる２つのソケット孔５１５が設けられて、ソケット孔５１５の奥には図示しない接点が設けられている。
【００４９】
挟み込み型ソケット５００では２つの口金ピンが通過する上下方向に直線状の中央スリット５０１と、２つの口金ピンが回転通過する略リング状の外周スリット５０２が設けられ、外周スリット５０２の奥には図示しない接点が設けられている。
【００５０】
上記のうち、突合せ型ソケット５１０に本実施形態に係るスイッチ装置１００が取り付けられた直管型ＬＥＤランプを取り付ける場合、突合せ型ソケット５１０では両端のソケット部５１４がそれぞれ内方に付勢されているので、直管型ＬＥＤランプが僅かに傾斜した状態で、一方側の口金の口金ピン（第１端子３の口金部３ａ）を一方側のソケット孔５１５に差し込みながら口金でソケット部５１４を押し込み、次に、直管型ＬＥＤランプの傾斜を戻して他方側の口金ピンと他方側のソケット孔５１５が対向する姿勢とし、他方側の口金ピンを他方側のソケット孔５１５に差し込むと、両端のソケット部５１４がそれぞれ内方に付勢されながら口金ピンをそれぞれ保持し、取り付け作業が終了する。以上の取り付け作業では、口金の口金ピンをソケット孔５１５に差し込む事により本実施形態に係るスイッチ装置１００の操作体２がソケット面５１３により押圧操作されるので、第１端子３と第２端子４が導通し直管型ＬＥＤランプに実装された駆動回路への通電が可能となる。
【００５１】
また、突合せ型ソケット５１０から本実施形態に係るスイッチ装置１００が取り付けられた直管型ＬＥＤランプを取り外す場合は、他方側の口金ピンが他方側のソケット孔５１５から抜け出すまで、直管型ＬＥＤランプの一方側の口金で一方側のソケット部５１４を押し込み、のち、直管型ＬＥＤランプを僅かに傾斜させ、一方側の口金ピンを一方側のソケット孔５１５から抜き取る事により取り外し作業が完了する。この時、口金ピンがソケット孔５１５から抜け出すと、本実施形態に係るスイッチ装置１００の操作体２が初期状態に戻り、第１端子３と第２端子４が導通しなくなるので、抜け出した口金ピンに接触しても感電する虞がなく、取り外し作業が安全に行える。
【００５２】
これに対し、挟み込み型ソケット５００に本実施形態に係るスイッチ装置１００が取り付けられた直管型ＬＥＤランプを取り付ける場合は、図６（ａ）に示す様に、直管型ＬＥＤランプの両端に取り付けられたスイッチ装置１００の２つの第１端子３（口金ピン）が挟み込み型ソケット５００の中央スリット５０１の延長線上に整列する様に直管型ＬＥＤランプを保持し、図６（ｂ）に示す様に、直管型ＬＥＤランプを回転させずに挟み込み型ソケット５００に挿入し、中央スリット５０１に２つの第１端子３を通過させる。下方側の第１端子３が中央スリット５０１を抜け出した後に、直管型ＬＥＤランプを約９０度回転させると、２つの第１端子３が外周スリット５０２の中を移動し、２つの第１端子３が図示しない接点に保持され、取り付け作業が終了する。なお、直管型ＬＥＤランプは操作体２が下方に移動する方向に回転させる。
【００５３】
挟み込み型ソケット５００に取り付ける前には、スイッチ装置１００の操作体２は初期状態にあり、操作体２及び操作体２の操作部２ａはハウジング１の上面（一面）に対して傾斜しているが、挟み込み型ソケット５００にスイッチ装置１００を挿入すると、操作体２は挟み込み型ソケット５００により押下される。操作体２は弾性部材８によりハウジング１の上面から離間する方向に付勢されており、操作体２はハウジング１の上面から傾斜して突出しており、操作体２の外周部は円弧状に形成されているので、スイッチ装置１００が挟み込み型ソケット５００に挿入されると、操作体２の円弧状の外周部の略中央部が挟み込み型ソケット５００のソケット面５０３と当接する。操作体２の円弧状の外周部はハウジング１の外径と略同一である為、ソケット面５０３と操作体２の当接部位はハウジング１の外径位置となり、外周スリット５０２の外方となる。従って、操作体２がソケット面５０３に当接した状態で直管型ＬＥＤランプを回転させても、操作体２が中央スリット５０１に入り込む虞はない。これにより、本実施形態に係るスイッチ装置１００は、挟み込み型の灯器具に対しても支障なく使用できる。
【００５４】
この取り付け作業で、直管型ＬＥＤランプを挟み込み型ソケット５００に挿入するときの操作体２の挙動を、図７を参照に、より詳細に説明する。
【００５５】
挟み込み型ソケット５００に本実施形態に係るスイッチ装置１００が取り付けられた直管型ＬＥＤランプを挿入すると、最初に下方側の第１端子３が中央スリット５０１に入り、のち、図７（ａ）に示す様に、操作体２の操作部２ａの外周部に設けられた摺動面２ｄの端部が挟み込み型ソケット５００のソケット面５０３の角部と当接する。この時点では、操作体２はハウジング１から最も突出した初期状態にあり、第１端子３と第２端子４は導通していない。
【００５６】
直管型ＬＥＤランプをさらに挿入すると、図７（ｂ）に示す様に、挟み込み型ソケット５００と操作部２ａは、より大きく重なるが、操作部２ａの外周部は円弧状の摺動面２ｄとなっているので、挟み込み型ソケット５００のソケット面５０３の角部と操作部２ａの当接位置は摺動面２ｄ上を摺動しながら中央部に近づく。このとき、摺動面２ｄは操作部２ａの上面側が下面側より小さくなる方向に傾斜した傾斜面となっているので、ハウジング１の上面から傾斜して突出している操作体２の摺動面２ｄと挟み込み型ソケット５００のソケット面５０３は略平行に当接するので、挟み込み型ソケット５００の角部は摺動面２ｄ上を容易に摺動する。また、初期状態において、ハウジング１の上面（一面）に対する操作部２ａの傾斜は９０度未満の角度であるので、挟み込み型ソケット５００のソケット面５０３が操作部２ａの外周部の摺動面２ｄに当接すると、操作体２はハウジング１側に押下され、やがて、第１端子３と第２端子４は導通する。
【００５７】
直管型ＬＥＤランプを、より挿入すると、挟み込み型ソケット５００のソケット面５０３の角部は操作部２ａの外周部に設けられた摺動面２ｄ上を摺動しながら移動し、やがてソケット面５０３は操作部２ａの上面と当接する。挟み込み型ソケット５００のソケット面５０３が操作部２ａの上面と当接すると、操作体２は最大に押下され、直管型ＬＥＤランプをさらに挿入しても、操作体２はそれ以上は押下されず、最終的には、図７（ｃ）に示す様に、２つの第１端子３が外周スリット５０２に入るまで挿入される。この状態では第１端子３と第２端子４は導通している。
【００５８】
挟み込み型ソケット５００から本実施形態に係るスイッチ装置１００が取り付けられた直管型ＬＥＤランプを取り外す場合は、２つの第１端子３が挟み込み型ソケット５００の中央スリット５０１中に位置するまで直管型ＬＥＤランプを回転させ、のち、直管型ＬＥＤランプを中央スリット５０１の方向に引き出し、下方の第１端子３が中央スリット５０１から抜け出すと、取り外し作業が完了する。この時、直管型ＬＥＤランプを２つの第１端子３が挟み込み型ソケット５００の中央スリット５０１中に位置するまで回転させると、２つの第１端子３は図示しない接点と接触しなくなるので、誤って口金に接触しても感電する虞はなく、取り外し作業は安全に行える。
【００５９】
上記の様に、本実施形態に係るスイッチ装置１００では、ハウジング１と、ハウジング１の上面（一面）から上方（一方向）に突出すると共に灯器具のソケットに取り付けられる一対の第１端子３と、押圧操作を受け付け可能な操作部２ａを有する操作体２と、第１端子３との導通状態が切り替えられる第２端子４と、操作体２を押圧操作前の初期状態に復帰させる弾性部材８とを備えており、
操作部２ａは、板状に形成され、初期状態において、ハウジング１の一面に対して９０度未満の角度で傾斜しており、操作部２ａの外周部は、ソケットと摺動可能な摺動面２ｄとなっており、摺動面２ｄがソケットと摺動し操作体２が押圧操作される事により、第１端子３と第２端子４とが導通する。
これにより、初期状態では、操作体２はハウジング１の上面に対して９０度未満の角度で傾斜した板状の操作部２ａを有しており、また、外周部をソケットと摺動可能な摺動面２ｄとしたので、挟み込み型ソケット５００にハウジング１を挿入する時に、外周部の摺動面２ｄがソケットと摺動することにより、傾斜した操作部２ａがソケットにより押下されるので、支障なく組み込むことができる。また、突合せ型ソケット５１０にハウジング１を挿入する時は、ソケット面５１３にハウジング１を突合せるだけで操作部２ａが押下される。
操作部２ａが押下される事により、第１端子３と第２端子４が導通し、給電可能な状態となるので、突合せ型および挟み込み型のいずれの灯器具に対しても支障なく使用できるスイッチ装置１００を提供できる。
【００６０】
また、本実施形態のスイッチ装置１００では、操作部２ａの外周部は円弧状とした。
ハウジング１を挟み込み型ソケット５００に装着する場合において、第１端子３が挟み込み型ソケット５００に設けられている中央スリット５０１に沿って挿入されると、ソケット面５０３が操作部２ａの外周部に当接し、ハウジング１の挿入に伴いソケット面５０３の当接位置は外周部上を容易に移動するが、このとき、外周部を円弧状としたので、ソケット面５０３の当接位置が外周部上を移動するのに伴い、操作部２ａがソケット面５０３により押下される。
これにより、挟み込み型ソケット５００に対して取り付ける事がより容易となり、直管型ＬＥＤランプへの確実な給電が可能となる。
【００６１】
また、本実施形態のスイッチ装置１００では、ハウジング１の上面より高さが一段低い段差部１ｄを設け、段差部１ｄに操作部２ａが配設され、操作部２ａが押圧されると操作部２ａの上面とハウジング１の上面とが、面一状となる構成とした。
これにより、板状の操作部２ａが押圧されて押下すると、段差部１ｄに配設された操作部２ａの上面とハウジング１の上面が同一面となるので、灯器具に取り付けた状態でハウジング１の上面から突出する部位がなく、外観が良好なスイッチ装置１００を提供できる。
【００６２】
また、本実施形態のスイッチ装置１００では、第２端子４は一対の第１端子３間を通る方向に延びて設けられており、第２端子４は操作体２の駆動部２ｃにより駆動され、一対の第１端子３との導通状態が切り替えられる構成とした。
第２端子４を一対の第１端子３間を通る方向に延びて設けたので、ハウジング１内の空いているスペースを有効に活用する事できるとともに、第２端子４が操作体２の駆動部２ｃにより駆動され、第２端子４が弾性変形する事により第１端子３の導通状態が切り替えられる構成としたので、スイッチ装置１００の構造を簡略化できる。
【００６３】
なお、上記の実施形態では、２つの第２端子４がいずれも操作体２の駆動部２ｃにより弾性変形させられるとしたが、駆動部２ｃにより弾性変形させられる第２端子４は一方のみとしても良い。または、一方の第１端子３を直管型ＬＥＤランプに実装された駆動回路と接続し、第２端子４を他方の第１端子３と導通可能な１つのみとしても良い。
【００６４】
〔直管型ＬＥＤランプ２００の実施形態〕
次に、図８を参照して、本実施形態に係るスイッチ装置１００を用いた直管型ＬＥＤランプ２００実施形態を説明する。図８は実施形態の直管型ＬＥＤランプ２００の構造を説明する外観斜視図である。
【００６５】
実施形態の直管型ＬＥＤランプ２００は筒状のランプ本体１１０の中に、規則的に配列された複数のＬＥＤ１０１が配線基板１０２に実装され、配線基板１０２の下方には図示しない駆動回路が実装されている。また、ランプ本体１１０の両端部には本考案の実施形態に係るスイッチ装置１００がそれぞれ取り付けられ、それぞれのスイッチ装置１００の第２端子４（図３参照）の他方の腕部が駆動回路と接続される。
【００６６】
本実施形態に係る直管型ＬＥＤランプ２００では、本考案の実施形態に係るスイッチ装置１００を使用したので、突合せ型及び挟み込み型のいずれの灯器具に対しても支障なく使用できる直管型ＬＥＤランプ２００が提供できる。また、突合せ型及び挟み込み型のいずれの灯器具においても、取り付け，取り外し作業が安全に行える直管型ＬＥＤランプ２００が提供できる。
【符号の説明】
【００６７】
１      ハウジング
１ａ    端子保持孔
１ｂ    開口部
１ｃ    回動軸穴
１ｄ    段差部
１ｅ    凹部
１ｆ    貫通孔
１ｇ    バネ受け部
２      操作体
２ａ    操作部
２ｂ    回動軸
２ｃ    駆動部
２ｄ    摺動面
２ｅ    バネ軸
３      第１端子
３ａ    口金部
３ｂ    台座部
４      第２端子
４ａ    接点部
５      端子リード
５ａ    接点部
５ｂ    接続部
６      ホルダ
８      弾性部材
１２      端子保持ネジ
１００      スイッチ装置
１０１      ＬＥＤ
１０２      配線基板
１１０      ランプ本体
２００      直管型ＬＥＤランプ
５００      挟み込み型ソケット
５０１      中央スリット
５０２      外周スリット
５０３      ソケット面
５１０      突合せ型ソケット
５１３      ソケット面
５１４      ソケット部
５１５      ソケット孔
【図１】
0003184247.tif 000003
【図２】
0003184247.tif 000004
【図３】
0003184247.tif 000005
【図４】
0003184247.tif 000006
【図５】
0003184247.tif 000007
【図６】
0003184247.tif 000008
【図７】
0003184247.tif 000009
【図８】
0003184247.tif 000010
【図９】
0003184247.tif 000011